(57)【要約】【課題】  赤外線リモコン機能を備えた携帯電話端末を利用して、各種の制御対象機器を設定時間に動作させることができるようにした、携帯電話端末とそのリモコン機能による予約制御方法を提供する。【解決手段】  時刻制御部１６とリモコン制御部１１，１６とを備えた携帯電話端末１０であって、上記リモコン制御部１１が、時刻制御部からの現在時刻が前もって設定された予約時刻になったとき、前もって設定された制御対象機器の所望の動作に対応する制御信号を、制御対象機器に対して送信するように、携帯電話端末１０を構成する。【選択図】        図１
2005130179.tif 000002
【特許請求の範囲】
【請求項１】
時刻制御部とリモコン制御部とを備えた携帯電話端末であって、
上記リモコン制御部が、時刻制御部からの現在時刻が前もって設定された予約時刻になったとき、前もって設定された制御対象機器の所望の動作に対応する制御信号を、制御対象機器に対して送信することを特徴とする携帯電話端末。
【請求項２】
上記リモコン制御部が、赤外線制御信号を送信する赤外線式リモコン制御部であることを特徴とする請求項１に記載の携帯電話端末。
【請求項３】
上記リモコン制御部が、予約時刻になったとき、制御対象機器の電源投入のための制御信号を送信することを特徴とする請求項１または２に記載の携帯電話端末。
【請求項４】
上記リモコン制御部が、予約時刻の後に、第二の制御信号を送信することを特徴とする請求項１から３のいずれかに記載の携帯電話端末。
【請求項５】
上記制御対象機器が音声を発生させる機器であって、
上記リモコン制御部が、当該制御対象機器の音量を時間経過にしたがって徐々に増大させる第二の制御信号を送信することを特徴とする請求項４に記載の携帯電話端末。
【請求項６】
上記制御対象機器が複数の動作モードを切換えて動作する機器であって、
上記リモコン制御部が、当該制御対象機器の動作モードを切換えるための第二の制御信号を送信することを特徴とする請求項４に記載の携帯電話端末。
【請求項７】
上記制御対象機器がテレビまたはＶＴＲであって、
上記リモコン制御部が、当該制御対象機器の受信チャンネルを切換えるための第二の制御信号を送信することを特徴とする請求項４に記載の携帯電話端末。
【請求項８】
時刻制御部とリモコン制御部とを備えた携帯電話端末を使用して、
上記リモコン制御部により予約時刻を設定すると共に、
上記リモコン制御部により制御対象機器の所望の動作を設定して、
上記時計制御部からの現在時刻が前もって設定された予約時刻になったとき、上記リモコン制御部が、設定された予約動作に対応する制御信号を、上記制御対象機器に対して送信することを特徴とする携帯電話端末のリモコン機能による予約制御方法。
【発明の詳細な説明】
【技術分野】
【０００１】
本発明は、携帯電話端末のリモコン機能により前もって設定した時刻に制御対象機器の制御を行なうための技術に関する。
【背景技術】
【０００２】
従来、携帯電話端末においては、所謂目覚まし機能として、前もって設定した時刻になると、呼出し音や目覚まし用に設定したアラーム音やメロディを鳴動させることができるようになっているものがある。
これにより、利用者は、携帯電話端末の鳴動により、設定時刻になったことを知ることができる。
しかしながら、このような携帯電話端末によれば、設定時刻になったときに、呼出し音，アラーム音やメロディが鳴動するのみである。
【０００３】
他方、赤外線リモコン機能を搭載した携帯電話端末も市販されるようになってきている。
このような携帯電話端末により、テレビ，ＶＴＲやエアコン等の各種機器の遠隔操作を行なうことが、例えば特許文献１において開示されている。
この構成によれば、電話機能とリモートコントロール機能とをモード切換えして、リモートコントロール機能モードにて、キー操作に基づいて、前もって設定された制御対象機器に対応するリモコンコードを読み出して、当該制御対象機器に対して赤外線信号を送信することにより、当該機器の制御を行なうようになっている。
したがって、本携帯電話端末から当該制御対象機器の予約操作を行なうことにより、当該制御対象機器にて、前もって予約した設定時刻に動作させて、所謂目覚まし機能を実行できるようになっている。
【０００４】
また、特許文献２においては、所謂ＥＰＧ（電子番組ガイド）データを利用してテレビまたはＶＴＲ等の機器にてテレビ番組の視聴または録画のタイマー予約を行なうようにした携帯型端末装置が開示されている。
この構成によれば、携帯型端末装置から通信回線を介して特定のコンテンツに接続することにより、ＥＰＧデータをダウンロードした後、ＥＰＧデータの画面表示に基づいて所望の番組を指定し、当該番組の指定データを例えば赤外線リモコン信号としてテレビまたはＶＴＲ等の当該機器に転送することにより、所望の番組に関する視聴または録画のタイマー予約を行なうことができる。
これにより、本携帯型端末機器からＥＰＧデータを利用して、当該機器のタイマー予約を行なうことにより、指定した番組の開始時刻になったとき、当該機器が動作して、指定した番組の視聴または録画を行なうことができるようになっている。
【特許文献１】特開２００３−０７８９７７号公報
【特許文献２】特開２００２−２５２７８９号公報
【発明の開示】
【発明が解決しようとする課題】
【０００５】
しかしながら、上述した特許文献１は、携帯電話端末の赤外線リモコン機能を利用して、制御対象機器に備えられた予約機能を利用することにより、目覚まし機能を実現するようにしている。このため、制御対象機器に予約機能が備えられていない場合には、予約機能による目覚まし機能を実現することができない。
【０００６】
また、上述した特許文献２は、ダウンロードしたＥＰＧデータに基づいて、制御対象機器に備えられた予約機能を利用することにより、目覚まし機能を実現するようにしている。このため、同様にして、制御対象機器に予約機能が備えられていない場合には、予約機能による目覚まし機能を実現することができない。
さらに、携帯型端末装置に、ＥＰＧデータをダウンロードするための手段が必要であることから、市販されている携帯型端末装置をそのまま使用することはできず、専用の携帯型端末装置を用意する必要がある。
【０００７】
さらに、上述した特許文献１および２においては、いずれも制御対象機器の予約機能を使用していることから、予約時刻経過後に例えば音量を増大させたり、あるいはチャンネルを切換える等のさらなる制御を行なうことは不可能であった。
【０００８】
本発明は、上記の問題を解決すべくなされたものであり、赤外線リモコン機能を備えた携帯電話端末を利用して、各種の制御対象機器を設定時間に動作させることができるようにした、携帯電話端末とそのリモコン機能による予約制御方法の提供を目的とする。
【課題を解決するための手段】
【０００９】
この目的を達成するため、本発明の請求項１記載の携帯電話端末は、時刻制御部とリモコン制御部とを備えた携帯電話端末であって、上記リモコン制御部が、時刻制御部からの現在時刻が前もって設定された予約時刻になったとき、前もって設定された制御対象機器の所望の動作に対応する制御信号を、制御対象機器に対して送信する構成としてある。
【００１０】
携帯電話端末をこのような構成とすると、携帯電話端末のリモコン制御部により、予約時刻と制御対象機器における所望の動作に対応する制御信号を設定しておく。そして、リモコン制御部は、時刻制御部からの現在時刻が前もって設定された予約時刻になったとき、前もって設定された所望の動作に対応する制御信号を、制御対象機器に対して送信する。したがって、制御対象機器は、携帯電話端末から送信されてくる制御信号に基づいて、その制御信号に対応する動作、例えば電源投入を行なう。
【００１１】
これにより、携帯電話端末の時刻制御部とリモコン制御部の機能を利用することによって、リモコン制御部にて予約時刻および制御対象機器の所望の動作を設定すれば、上記予約時刻になったとき、制御対象機器が所望の動作を行なうことになり、例えばテレビ，オーディオ等の各種機器の電源投入を行なうことができる。
この場合、上記制御対象機器が予約機能を備えていなくても、予約時刻になったときに、携帯電話端末のリモコン制御部から制御信号を上記制御対象機器に対して送信することにより、所望の動作を行なわせることができる。
【００１２】
請求項２記載の携帯電話端末は、上記リモコン制御部が、赤外線制御信号を送信する赤外線式リモコン制御部である構成としてある。
携帯電話端末をこのような構成とすると、赤外線式リモコン制御を備えた制御対象機器に対して、その赤外線式リモコン制御をそのまま利用することにより、予約時刻に所望の動作を行なわせることができる。
【００１３】
請求項３記載の携帯電話端末は、上記リモコン制御部が、予約時刻になったとき、制御対象機器の電源投入のための制御信号を送信する構成としてある。
携帯電話端末をこのような構成とすると、予約時刻になったとき、携帯電話端末から制御対象機器の電源投入のための制御信号を送信することによって、上記制御対象機器の電源が投入されることになり、所謂目覚まし機能を実現することができる。
【００１４】
請求項４記載の携帯電話端末は、上記リモコン制御部が、予約時刻の後に、第二の制御信号を送信する構成としてある。
携帯電話端末をこのような構成とすると、予約時刻に制御対象機器が所望の動作を行なったのち、続いて携帯電話端末から送信されてくる第二の制御信号に基づいて、上記制御対象機器が次の動作を行なうことになる。
【００１５】
請求項５記載の携帯電話端末は、上記制御対象機器が音声を発生させる機器であって、上記リモコン制御部が、当該制御対象機器の音量を時間経過にしたがって徐々に増大させる第二の制御信号を送信する構成としてある。
携帯電話端末をこのような構成とすると、予約時刻に送信されてくる制御信号に基づいて、制御対象機器が所望の動作、例えば電源投入を行なった後、例えばテレビ，オーディオ等の制御対象機器にて、その音量を徐々に増大させて、より確実な目覚まし効果を実現することができる。
【００１６】
請求項６記載の携帯電話端末は、上記制御対象機器が複数の動作モードを切換えて動作する機器であって、上記リモコン制御部が、当該制御対象機器の動作モードを切換えるための第二の制御信号を送信する構成としてある。
携帯電話端末をこのような構成とすると、予約時刻に送信されてくる制御信号に基づいて、制御対象機器が所望の動作、例えば電源投入を行なった後、所定時間後に他の動作モードに切換えることにより、時間経過にしたがって、上記制御対象機器に使用者の所望の動作を行なわせることができる。
【００１７】
請求項７記載の携帯電話端末は、上記制御対象機器がテレビまたはＶＴＲであって、上記リモコン制御部が、当該制御対象機器の受信チャンネルを切換えるための第二の制御信号を送信する構成としてある。
携帯電話端末をこのような構成とすると、予約時刻に送信されてくる制御信号に基づいて、制御対象機器が所望の動作、例えば電源投入を行なった後、所定時間後に他の受信チャンネルに切換えることにより、時間経過にしたがって、上記制御対象機器に使用者の所望の番組を受信することができる。
【００１８】
また、上記目的を達成するため、本発明の請求項８記載の携帯電話端末のリモコン機能による予約制御方法によれば、時刻制御部とリモコン制御部とを備えた携帯電話端末を使用して、上記リモコン制御部により予約時刻および制御対象機器の所望の動作を設定すると共に、上記リモコン制御部により制御対象機器の予約動作を設定して、上記時計制御部により設定された予約時刻になったとき、上記リモコン制御部が、設定された予約動作に対応する制御信号を、上記制御対象機器に対して送信する構成としてある。
本発明は、このように携帯電話端末のリモコン機能による予約制御方法としても実現化することができる。
【発明の効果】
【００１９】
このようにして、本発明による携帯電話端末およびその赤外線リモコン機能による設定時刻制御方法によれば、携帯電話端末の時刻制御部およびリモコン制御部を利用して、予約時刻と制御対象機器の所望の動作を前もって設定しておくことにより、上記予約時刻になったとき、携帯電話端末が上記所望の動作に対応する制御信号を制御対象機器に対して送信する。
【００２０】
これにより、制御対象機器は、携帯電話端末から送信されてくる制御信号に基づいて、所定動作、例えば電源投入を行なうことができる。したがって、制御対象機器が予約機能を備えていなくても、本携帯電話端末を使用することによって、予約時刻に制御対象機器の所望の動作を行なわせ、例えば目覚まし機能を実現することが可能になる。
【発明を実施するための最良の形態】
【００２１】
以下、本発明の実施の形態について、図面を参照して説明する。
【実施例１】
【００２２】
本発明の携帯電話端末の一実施形態について、図１を参照して説明する。
図１は、本実施形態の携帯電話端末の構成を示すブロック図である。
【００２３】
図１に示すように、携帯電話端末１０は、制御部１１と、表示部１２と、キー操作部１３と、記憶部１４と、音声処理部１５と、時刻制御部１６と、赤外線制御部１７と、を設けてある。
【００２４】
上記制御部１１は、携帯電話端末１０の中心機能である従来公知の電話機能を備えると共に、赤外線式リモコン制御部（後述）としての機能も備えている。
上記表示部１２は、制御部１１における送受信に関する情報やキー操作部１３による入力情報を表示するようになっている。
上記キー操作部１３は、複数個の操作キーから構成されており、各操作キーの操作またはその組合せにより制御部１１に対して各種制御を行なわせると共に、その操作内容が表示部１２に表示されるようになっている。
【００２５】
上記記憶部１４は、携帯電話端末１０の動作に必要な情報をＲＯＭ部に記憶していると共に、制御部１１または音声処理部１５からの入力情報をＲＡＭ部に読み書き可能に記憶するようになっている。
【００２６】
上記音声処理部１５は、マイク１５ａからの音声入力をデジタル処理して、制御部１１または記憶部１４に記憶させると共に、制御部１１または記憶部１４から読み出した音声信号を処理して、スピーカ１５ｂから音声出力するようになっている。
【００２７】
上記時刻制御部１６は、内蔵された時計機能に基づいて、現在時刻をカウントしており、制御部１１からの指令に基づいて、そのときの現在時刻を出力するようになっている。
上記赤外線制御部１７は、制御部１１の赤外線リモコン制御部としての機能に基づいて出力される制御信号を、赤外線信号に変換して送信すると共に、受信した赤外線信号を電気信号（制御信号）に変換して、制御部１１に入力するようになっている。
【００２８】
ここで、上記制御部１１は、赤外線リモコン制御部として、キー操作部１３からの入力操作により、制御対象機器の所望の動作を設定されると共に、予約時刻を設定されるようになっている。
そして、上記制御部１１は、例えば所定時間毎に、時刻制御部１６に指令を出力して、時刻制御部１６から現在時刻を受け取って、上記予約時刻と比較して、現在時刻と予約時刻が同じになったとき、前もって設定された所望の動作に対応する制御信号を生成して、赤外線制御部１７に出力する。これにより、赤外線制御部１７は、上記制御信号を赤外線信号に変換して、制御対象機器に対して送信するようになっている。
【００２９】
ここで、制御部１１は、例えば制御対象機器の機種毎あるいはメーカ毎に決められている制御信号を生成することになるが、これらの制御信号は、例えば記憶部１４のＲＯＭに記憶されており、制御部１１が必要に応じて当該制御対象機器に対応した制御信号を読み出すようにしてもよい。
【００３０】
さらに、上記制御部１１は、予約時刻および所望の動作に加えて、予約時刻後における第二の所望の動作（例えば音量を徐々に大きくする，チャンネルを切換える等）を設定することもできる。
これにより、上記制御部１１は、予約時刻になったときに、所望の動作に対応する制御信号を赤外線制御部１７を介して上記制御対象機器に送信すると共に、予約時刻後に、第二の所望動作に対応する第二の制御信号を送信することになる。
【００３１】
次に、本実施形態の携帯電話端末のリモコン機能を利用してテレビの電源投入を行なう場合の予約制御方法の動作について、図２〜図３のフローチャートを参照して説明する。
【００３２】
図２は、予約時刻にテレビの電源投入を行なう場合の動作を示すフローチャートである。
図２において、ステップＡ１にて、使用者は、携帯電話端末１０のキー操作部１３により適宜の入力操作を行なうことにより、予約時刻の設定を行なう。
これにより、ステップＡ２にて、携帯電話端末１０の制御部１１は、設定された予約時刻を記憶部１４に記憶させる。
【００３３】
続いて、ステップＡ３にて、使用者は、同様にして携帯電話端末１０のキー操作部１３により適宜の入力操作を行なうことにより、制御対象機器であるテレビにおける所望の動作、例えば電源投入を設定する。
その際、制御対象機器が複数個ある場合には、使用者は、その制御対象機器の種類も設定することができる。
これにより、ステップＡ４にて、携帯電話端末１０の制御部１１は、設定されたテレビにおける電源投入動作を記憶部１４に記憶させる。
【００３４】
その後、制御部１１は、ステップＡ５にて、所定時間毎に、時刻制御部１６に対して指令を出力して、時刻制御部１６から現在時刻を取得する。
そして、制御部１１は、ステップＡ６にて、この現在時刻と、記憶部１４に記憶された前記予約時刻を比較する。
【００３５】
ここで、現在時刻が予約時刻と同じかあるいは予約時刻を越えたときには、制御部１１は、ステップＡ７にて、記憶部１４から読み出したテレビにおける所望の動作すなわち電源投入動作に基づいて、当該テレビの種類に対応した制御信号を生成して、赤外線制御部１７に送出する。
なお、現在時刻が予約時刻に達していないときには、ステップＡ５に戻る。
【００３６】
これを受けて、ステップＡ８にて、赤外線制御部１７は、制御部１１からの制御信号を赤外線信号に変換して、上記テレビに対して送信する。
そして、上記テレビは、ステップＡ９にて、携帯電話端末１０の赤外線制御部１７からの赤外線信号を、赤外線式リモコン制御部で受信して、当該赤外線信号を制御信号に変換し、この制御信号に基づいて所望の動作、例えば電源投入の動作を行なう。
これにより、当該テレビは、予約時刻にて所望の動作、例えば電源投入の動作を行なうことになり、所謂目覚まし機能を実現することができる。
以上で、携帯電話端末１０による電源投入の予約制御動作が完了することになる。
【００３７】
図３は、予約時刻にテレビの電源投入そしてその後徐々に音量を増大させる場合の動作を示すフローチャートである。
図３において、ステップＢ１にて、使用者は、携帯電話端末１０のキー操作部１３により適宜の入力操作を行なうことにより、予約時刻の設定を行なう。
これにより、ステップＢ２にて、携帯電話端末１０の制御部１１は、設定された予約時刻を記憶部１４に記憶させる。
【００３８】
続いて、ステップＢ３にて、使用者は、同様にして携帯電話端末１０のキー操作部１３により適宜の入力操作を行なうことにより、制御対象機器であるテレビにおける所望の動作、例えば電源投入動作を設定する。
これにより、ステップＢ４にて、携帯電話端末１０の制御部１１は、設定されたテレビにおける電源投入動作を記憶部１４に記憶させる。
【００３９】
そして、ステップＢ５にて、使用者は、同様にして携帯電話端末１０のキー操作部１３により適宜の入力操作を行なうことにより、制御対象機器であるテレビにおける第二の所望の動作、例えば音量漸増動作を設定する。
これにより、ステップＢ６にて、携帯電話端末１０の制御部１１は、設定されたテレビにおける音量漸増動作を記憶部１４に記憶させる。
【００４０】
その後、制御部１１は、ステップＢ７にて、所定時間毎に、時刻制御部１６に対して指令を出力して、時刻制御部１６から現在時刻を取得する。
そして、制御部１１は、ステップＢ８にて、この現在時刻と、記憶部１４に記憶された前記予約時刻を比較する。
【００４１】
ここで、現在時刻が予約時刻と同じかあるいは予約時刻を越えたときには、制御部１１は、ステップＢ９にて、記憶部１４から読み出したテレビにおける所望の動作すなわち電源投入動作に基づいて、制御信号を生成して、赤外線制御部１７に送出する。
なお、現在時刻が予約時刻に達していないときには、ステップＢ７に戻る。
【００４２】
これを受けて、ステップＢ１０にて、赤外線制御部１７は、制御部１１からの制御信号を赤外線信号に変換して、上記テレビに対して送信する。
そして、上記テレビは、ステップＢ１１にて、携帯電話端末１０の赤外線制御部１７からの赤外線信号を、赤外線式リモコン制御部で受信して、当該赤外線信号を制御信号に変換し、この制御信号に基づいて所望の動作、例えば電源投入の動作を行なう。
これにより、当該テレビは、予約時刻にて所望の動作、例えば電源投入の動作を行なうことになり、所謂目覚まし機能を実現することができる。
【００４３】
そして、上記制御部１１は、予約時刻から所定時間経過後、ステップＢ１２にて、記憶部１４から読み出したテレビにおける音量漸増動作に基づいて、第二の制御信号を生成して、赤外線制御部１７に送出する。
これを受けて、ステップＢ１３にて、赤外線制御部１７は、制御部１１からの第二の制御信号を赤外線信号に変換して、上記テレビに対して送信する。
そして、上記テレビは、ステップＢ１４にて、この赤外線信号を受信して、第二の制御信号に変換し、この第二の制御信号に基づいて、予約時刻から所定時間経過後に、音量漸増動作を行なうことになり、所謂目覚まし機能を補強することができる。
【００４４】
なお、上記制御部１１は、実際には、音量漸増動作の制御信号を所定時間毎に上記テレビに送信する。これにより、上記テレビは、携帯電話端末１０から音量漸増動作の制御信号を受け取るたびに、その音量を一段階（または所定段階）だけ増大させる。そして、この動作を繰り返すことにより、上記テレビは、その音量が徐々に増大することになる。
以上で、携帯電話端末１０による電源投入および音量漸増の予約制御動作が完了することになる。
【００４５】
このようにして、本実施形態による携帯電話端末１０によれば、携帯電話端末１０が備えている時刻制御部１６そして赤外線リモコン制御部としての制御部１１および赤外線制御部１７を利用して、制御対象機器であるテレビの予約時刻における電源投入そして必要であれば所定時間経過後における音量漸増の動作を行なわせることが可能である。
【産業上の利用可能性】
【００４６】
上述した実施形態においては、制御対象機器としてテレビの予約時刻における電源投入そして音量漸増を行なう場合について説明したが、これに限らず、電源投入そして所定時間後におけるチャンネル切換え動作を行なうことも可能である。
【００４７】
また、上述した実施形態においては、制御対象機器としてテレビの予約時刻における所望の動作を行なう場合について説明したが、これに限らず、ＶＴＲやオーディオ等の各種機器に対する予約制御動作を行なうことも可能である。
【００４８】
さらに、上述した実施形態においては、制御部１１が、記憶部１４から読み出した制御対象機器の所望の動作に基づいて、対応する制御信号を生成するようになっているが、これに限らず、各種制御対象機器に対応した制御信号がそれぞれ制御対象機器の種類と動作に関連付けられてデータベースとして前もって記憶部１４に記憶されていてもよい。この場合、制御部１１は、記憶部１４から制御対象機器の所望の動作を読み出すかわりに、当該制御対象機器の種類と当該所望の動作に対応した制御信号を読み出すようになっている。
【００４９】
また、上述した実施形態においては、携帯電話端末１０は、制御部１１および赤外線制御部１７から成る赤外線式リモコン制御部を備えているが、これに限らず、他の形式のリモコン制御部を備えており、このリモコン制御部により、制御対象機器の予約時刻における所望の動作を行なわせるようにしてもよい。
【００５０】
さらに、上述した実施形態においては、制御部１１は、所定時間毎に時刻制御部１６から現在時刻を取得して、予約時刻と比較するようになっているが、これに限らず、常に現在時刻を取得して予約時刻と比較するようにすれば、予約時刻と実際に制御対象機器の動作時刻の誤差がより低減され得ることになる。
【００５１】
このようにして、本発明によれば、リモコン制御機能を備えた携帯電話端末を利用して、各種の制御対象機器を予約時刻に所望の動作を行なわせることができるようにした、携帯電話端末とそのリモコン機能による予約制御方法を提供することができる。
【図面の簡単な説明】
【００５２】
【図１】本発明による携帯電話端末の一実施形態の構成を示すブロック図である。
【図２】図１に示した携帯電話端末のリモコン機能による電源投入の予約制御方法を示すフローチャートである。
【図３】図１に示した携帯電話端末のリモコン機能による電源投入および音量漸増の予約制御方法を示すフローチャートである。
【符号の説明】
【００５３】
１０  携帯電話端末
１１  制御部
１２  表示部
１３  キー操作部
１４  記憶部
１５  音声処理部
１６  時刻制御部
１７  赤外線制御部
【図１】
2005130179.tif 000003
【図２】
2005130179.tif 000004
【図３】
2005130179.tif 000005